(57)【特許請求の範囲】
【請求項１】
基板上に設けられた複数の高周波電子回路と、これらの高周波電子回路間における不要信号の入射又は放射を防止する仕切り部とを備え、前記仕切り部は、導電部材で形成された枠で形成されるとともに、前記枠は前記不要信号の波長より小さくした高周波装置において、前記仕切り部は、基板が装着された金属製のシールドケースと、このシールドケースに被せられる金属製の蓋と、前記シールドケースの底面から切り起して形成された切り起し片とを有し、前記切り起し片の先端が前記蓋に当接させる高周波装置。
【請求項２】
蓋の底面方向に弾性を有する当接片を設け、この当接片に切り起し片が当接する請求項１に記載の高周波装置。
【請求項３】
当接片は蓋を切り起して形成された請求項１に記載の高周波装置。
【請求項４】
シールドケースの側面は、底面を折り曲げて形成した請求項１に記載の高周波装置。
【請求項５】
基板は片面基板を用いるとともに、高周波電子部品をこの基板の表面に実装し、前記基板の裏面をシールドケースの底面側にして装着した請求項４に記載の高周波装置。
【請求項６】
高周波信号が入力される入力端子と、この入力端子に接続された同調フィルタと、この同調フィルタの出力に接続された高周波増幅器と、この高周波増幅器の出力が接続された段間フィルタと、この段間フィルタの出力が一方の入力に接続されるとともに他方の入力には局部発振器の出力が接続された混合器と、この混合器の出力が接続された中間周波増幅器と、この中間周波増幅器の出力が接続された出力端子とを基板上に設け、前記高周波増幅器上に仕切り部が設けられた請求項５に記載の高周波装置。
【請求項７】
局部発振器と段間フィルタとの間に仕切り部が設けられた請求項６に記載の高周波装置。
【請求項８】
同調フィルタと段間フィルタは空芯コイルを用いて形成されるとともに、互いに近接する前記同調フィルタのコイルと前記段間フィルタのコイルとはその中心軸が略直角になるように配置された請求項６に記載の高周波装置。
【請求項９】
同調フィルタと段間フィルタは空芯コイルを用いて形成されるとともに、互いに近接する前記同調フィルタのコイルと前記段間フィルタのコイルとは、どちらか一方の空芯コイルの中心軸から４５度以上の開角外に他方の空芯コイルを配置した請求項６に記載の高周波装置。
【請求項１０】
基板上に仕切り部を貫通した電源ラインを設け、この電源ラインと、この電源ラインの近傍に植設された仕切り片との間にバイパスコンデンサが設けられた請求項１に記載の高周波装置。
【発明の詳細な説明】
【０００１】
【発明の属する技術分野】
本発明は、高周波回路間における不要高周波の流入又は輻射を防止する高周波装置に関するものである。
【０００２】
【従来の技術】
以下、従来の高周波装置の一例として、ＴＶ信号を受信するＶＨＦ・ＵＨＦチューナを例にして説明する。ＶＨＦ・ＵＨＦチューナはＶＨＦ部とＵＨＦ部とから成る。これらの構成は略同じであるので、ＶＨＦ部の構成を代表して説明する。ＶＨＦ部は図７に示すように、ＴＶ信号が入力される入力端子１と、この入力端子１に接続されたローパスフィルタ２ａと、このローパスフィルタ２ａの出力に接続された同調フィルタ３ａと、この同調フィルタ３ａの出力に接続された高周波増幅器４ａと、この高周波増幅器４ａの出力が接続された段間フィルタ５ａと、この段間フィルタ５ａの出力が一方の入力に接続されるとともに他方の入力には局部発振器６ａの出力が接続された混合器７ａと、この混合器７ａの出力が接続された中間周波増幅器８と、この中間周波増幅器８の出力が接続された出力端子９とで構成されている。
【０００３】
また、ＵＨＦ部の構成は、ＶＨＦ部におけるローパスフィルタ２ａがハイパスフィルタ２ｂに代わる点で相違する。その理由は、これらのフィルタ２ａ，２ｂでＶＨＦとＵＨＦとを分離しているためである。その他の構成については扱う周波数がＶＨＦとＵＨＦと異なる点を除いては共通であるので、添え字ｂを付して説明の簡略化を図った。また、入力端子１と中間周波増幅器８と出力端子９とは共通である。
【０００４】
そして、これらの回路はプリント基板上に設けられ、図８に示すように、金属製のシールドケース１０内に装着されていた。そして、これらの回路において、お互いの干渉を防ぐために金属製の仕切り板１１で各回路を高周波的に分離していた。
【０００５】
この仕切り板１１の内、仕切り板１１ａは、同調フィルタ３ａ，３ｂと段間フィルタ５ａ，５ｂの間であって、より正確には高周波増幅器４ａ，４ｂを形成するトランジスタの上方に設けられていた。これは高周波増幅器４ａ，４ｂの出力がその入力側に返されて、最悪の場合、異常発振を防止させるために挿入されているものである。
【０００６】
仕切り板１１ｂは局部発振器６ａ，６ｂと段間フィルタ５ａ，５ｂとの間に設けられている。これは局部発振器６ａ，６ｂで発振する発振周波数が入力端子１から外部へ漏洩して、他のＴＶに妨害を与えないようにするためである。このように外部への悪影響を防止することは公共の電波を利用するにあたっては特に重要な性能であるため、仕切り板１１ｂと仕切り板１１ａとで二重に防止している。
【０００７】
なお、一般的な仕切り板については、仕切り板１１とし、特定の仕切り板を示すときには添え字を付している。以下、他の記載についても同様とする。
【０００８】
【発明が解決しようとする課題】
しかしながらこのような従来の構成では、不要な高周波の流入又は輻射を防止することを目的として、金属製の仕切り板１１を用いているため電気的にも機械的にも分離されてしまうことになる。特に機械的に分離されてしまうとどうしても基板上に装着される部品配置も制約されてしまうことになる。
【０００９】
そこで本発明は、この問題を解決するために、部品配置の制約が少ない高周波装置を提供することを目的としたものである。
【００１０】
【課題を解決するための手段】
この目的を達成するために本発明の高周波装置は、基板上に設けられた複数の高周波電子回路と、これらの高周波電子回路間における不要信号の入射又は放射を防止する仕切り部とを備え、前記仕切り部は、導電部材で形成された枠で形成されるとともに、この枠は前記不要信号の波長より小さくした高周波装置において、前記仕切り部は、基板が装着された金属製のシールドケースと、このシールドケースに被せられる金属製の蓋と、前記シールドケースの底面から切り起して形成された切り起し片とを有し、前記切り起し片の先端が前記蓋に当接するものである。
【００１１】
これにより、部品配置の制約が少ない高周波装置を提供することができる。
【００１２】
【発明の実施の形態】
本発明の請求項１に記載の発明は、基板上に設けられた複数の高周波電子回路と、これらの高周波電子回路間における不要信号の入射又は放射を防止する仕切り部とを備え、前記仕切り部は、導電部材で形成された枠で形成されるとともに、この枠は前記不要信号の波長より小さくした高周波装置において、前記仕切り部は、基板が装着された金属製のシールドケースと、このシールドケースに被せられた金属製の蓋と、前記シールドケースの底面から切り起して形成された切り起し片とを有し、前記切り起し片の先端が前記蓋に当接させる高周波装置であり、高周波回路間は導電部材で形成された枠で形成されるとともに、この枠は前記不要信号の波長より小さくしたものであり、高周波回路間の不要高周波の流入、又は幅射を防止するとともに枠で形成されているので、機械的な部品配置の制約が少なくなる。
【００１３】
また、部品配置の制約が少なくなるので、基板の実装密度が向上し、小型化を図ることもできる。
【００１４】
さらに、仕切り部は、シールドケースを切り起して形成しているので、仕切り板等の別部材を使う必要がなく、低価格化が実現できる。また、切り起し片を用いているので、仕切り板で仕切るのに比べて、機構的な空間が増え、修正や調整が容易となる。
【００１５】
請求項２に記載の発明は、蓋の底面方向に弾性を有する当接片を設け、この当接片に切り起し片が当接する請求項１に記載の高周波装置であり、当接片は弾性を有しているので、切り起し片との接続が確実になる。従って、不要信号の遮断（流入、又は輻射の防止）がより確実になる。
【００１６】
請求項３記載の発明は、当接片は蓋を切り起して形成された請求項２に記載の高周波装置であり、蓋を切り起して当接片を形成しているので、別部材を用意する必要はなく、低価格化を図ることができる。また、切り起して形成しているので、弾性を持たせることができ、確実な当接性能を実現することができる。
【００１７】
請求項５に記載の発明のシールドケースの側面は、底面を折り曲げて形成した請求項２に記載の高周波装置であり、底面（底蓋）と側面（フレーム）とが同一部材で形成されるので、底蓋が不要となり低価格化を図ることができる。また、一つの部材であるので、フレーム構造が簡単になるとともに部品管理も容易となる。
【００１８】
請求項５に記載の発明の基板は、片面基板を用いるとともに、高周波電子部品をこの基板の表面に実装し、前記基板の裏面をシールドケースの底面側にして装着した請求項４に記載の高周波装置であり、仕切り部として枠を用いているので、この枠内にも部品を装着することができる。従って、従来のように仕切り板が邪魔をして部品を基板の表面に実装できないということはなく、片面基板を使用することができる。このように部品は表面に実装して、裏面には部品を実装しなくても良いので、底面と側面が一体化したシールドケースを用いても、修正や調整に関して不都合になることは無い。また、基板は片面基板を使うので、低価格化を図ることができる。
【００１９】
更に、一回のリフロー半田で電子部品の基板への装着と、基板のシールドケースへの装着を併せて行うことができる。
【００２０】
請求項６に記載の発明は、高周波信号が入力される入力端子と、この入力端子に接続された同調フィルタと、この同調フィルタの出力に接続された高周波増幅器と、この高周波増幅器の出力が接続された段間フィルタと、この段間フィルタの出力が一方の入力に接続されるとともに他方の入力には局部発振器の出力が接続された混合器と、この混合器の出力が接続された中間周波増幅器と、この中間周波増幅器の出力が接続された出力端子とを基板上に設け、前記高周波増幅器上に仕切り部が設けられた請求項５に記載の高周波装置であり、高周波増幅器の出力信号が、その入力側へフィードバックされることはないので、異常発振を防止することができる。
【００２１】
また、従来のように仕切り板がないので、部品配置の自由度が増し、小型化された高周波装置を実現することができる。更に、底面と側面とは一体化されているので、裏カバーが不要となり、低価格化を図ることができる。更にまた、片面基板を用いているので一括リフロー半田が可能となる。
【００２２】
請求項７に記載の発明は、局部発振器と段間フィルタとの間に仕切り部が設けられた請求項６に記載の高周波装置であり、局部発振器の発振出力が段間フィルタの実装部や同調フィルタの実装部を介して、入力端子へ導かれることを防止しているので、前記入力端子から不要輻射として外部へ放出し、外部機器に妨害を与えることは無い。
【００２３】
請求項８に記載の発明は、同調フィルタと段間フィルタは空芯コイルを用いて形成されるとともに、互いに近接する前記同調フィルタのコイルと前記段間フィルタのコイルは、その中心軸が略直角になるように配置された請求項６に記載の高周波装置であり、同調フィルタと段間フィルタは枠で高周波的に分離されるとともに、夫々の空芯コイルは中心軸が略直角になっているので、同調フィルタと段間フィルタとの結合は少なく、お互いの干渉を防止することができる。
【００２４】
請求項９に記載の発明は、同調フィルタと段間フィルタは空芯コイルを用いて形成されるとともに、互いに近接する前記同調フィルタのコイルと前記段間フィルタのコイルは、どちらか一方の空芯コイルの中心軸から４５度以上の開角外に他方の空芯コイルを配置した請求項６に記載の高周波装置であり、同調フィルタと段間フィルタは枠で高周波的に分離されるとともに、夫々の空芯コイルは中心軸から４５度以上の開角外に配置されているので、同調フィルタと段間フィルタとの結合は少なくなり、お互いの干渉を防止することができる。
【００２５】
請求項１０に記載の発明は、基板上に仕切り部を貫通した電源ラインを設け、この電源ラインと、この電源ラインの近傍に植設された仕切り片との間にバイパスコンデンサが設けられた請求項１に記載の高周波装置であり、仕切り片はシールドケース及び蓋に最短で接合されており、高周波的にしっかりしたグランドが形成される。そのためたとえ電源ラインに妨害信号が重畳されていたとしても、バイパスコンデンサにより近傍に設けられた仕切り片を介して確実に落とすことができる。
【００２６】
以下、図面に従って本発明の実施の形態を説明する。図１は高周波装置の断面図である。図１において、２０は金属製のシールドケースであり、このシールドケース２０は、図２に示すように長方形をした板体の夫々の辺を折り曲げて側面２１が形成される。この側面２１の、夫々の側面を２１ａ，２１ｂ，２１ｃ，２１ｄとする。また、２２は底面になる。２３は底面２２に形成された切り起し片である。この底面２２に形成された夫々の切り起し片を２３ａ，２３ｂ，２３ｃ，２３ｄ，２３ｅ，２３ｆとする。
【００２７】
２４ｂ，２４ｄは夫々側面２１ｂ，２１ｄに一体的に連結して設けられた脚であり、２５ｂ，２５ｄは夫々の脚２４ｂ，２４ｄから一体的に設けられた挿入部である。そして、この挿入部２５はセット側のプリント基板に挿入されて半田付固定されるものである。
【００２８】
このシールドケース２０内には図１に示すように、片面のプリント基板２６が挿入されている。このプリント基板２６の表面には高周波回路用の電子部品２７が装着されている。この電子部品２７には空芯コイル２７ａ，２７ｂやチップ部品２７ｃ等がリフロー半田で装着されている。
【００２９】
また、プリント基板２６には、孔２８ａ，２８ｄが設けられており、この孔２８ａ，２８ｄに切り起し片２３ａ，２３ｄが夫々挿入されて半田で固定される。また、この切り起し片２３は載置部３１を有しており（図２参照）、この載置部３１でプリント基板２６を支える。このプリント基板２６のシールドケース２０への主な装着は、シールドケース２０の側面２１に設けられた係止片３０に支えられて固定される。
【００３０】
３２は、シールドケース２０に被せられる金属製の蓋である。この蓋３２には切り起し片２３に対応する位置に当接片３３が切り起しで設けられている。切り起しで設けられているので、弾性を有する。従って、切り起し片２３と弾性的に確りと結合する。このことにより、例えば図１においては、底面２２と、切り起し片２３ａ，２３ｄと、当接片３３ａ，３３ｄと蓋３２で導通部材で形成された枠５０を形成する。そして、この枠５０を不要信号の波長より小さくしている。なお、枠５０の切り起し片２３間の距離、例えば切り起し片２３ａと２３ｄの距離を不要信号の波長より小さくすることが重要である。このことにより、不要信号の通過を阻止するものである。従って、この枠５０で高周波回路を分離するとともに、お互いの干渉を防止することができる。また、この枠５０の中にも電子部品２７を装着することもできる。この枠５０は、図１において、空芯コイル２７ａと２７ｂとの間にも設けられている。また、チップ部品２７ｃとチップ部品２７ｄとの間にも形成されている。なお、この枠５０は本実施の形態では四角形にしたが、これは、四角形に限ることは無く、円形や楕円形であっても同様の効果を奏する。
【００３１】
図３は、ＴＶ信号を受信するＶＨＦ・ＵＨＦチューナ（高周波装置の一例として用いた）の回路図である。ＶＨＦ・ＵＨＦチューナはＶＨＦ部とＵＨＦ部とから成る。先ず、ＶＨＦ部の構成を説明する。ＶＨＦ部は図３に示すように、ＴＶ信号が入力される入力端子４１と、この入力端子４１に接続されたローパスフィルタ４２ａと、このローパスフィルタ４２ａの出力に接続された同調フィルタ４３ａと、この同調フィルタ４３ａの出力に接続された高周波増幅器４４ａと、この高周波増幅器４４ａの出力が接続された段間フィルタ４５ａと、この段間フィルタ４５ａの出力が一方の入力に接続されるとともに他方の入力には局部発振器４６ａの出力が接続された混合器４７ａと、この混合器４７ａの出力が接続された中間周波増幅器４８と、この中間周波増幅器４８の出力が接続された出力端子４９とで構成されている。
【００３２】
また、ＵＨＦ部の構成は、ＶＨＦ部におけるローパスフィルタ４２ａを、ＵＨＦ部ではハイパスフィルタ４２ｂとした点で相違する。その理由は、これらのフィルタ４２ａ，４２ｂで入力信号をＶＨＦとＵＨＦとに分離するためである。その他の構成については扱う周波数がＶＨＦとＵＨＦと異なる点を除いては共通である。従って、添え字ｂを付して説明の簡略化を図っている。また、入力端子４１と中間周波増幅器４８と出力端子４９とは共通である。
【００３３】
以上のように構成されたＶＨＦ・ＵＨＦチューナについて、以下にその動作を説明する。なお、ＵＨＦ部については、扱う周波数が異なるのみで、その動作は一部を除いて同様であるので、主にＶＨＦ部について説明する。
【００３４】
入力端子４１に入力されたＴＶ電波の内、ＶＨＦはローパスフィルタ４２ａを通って同調フィルタ４３ａに入力される。また、ＵＨＦはハイパスフィルタ４２ｂを介して同調フィルタ４３ｂに入力される。即ち、これらのフィルタ４２ａ，４２ｂでＶＨＦとＵＨＦに分けられる。以後、ＶＨＦ主体で説明する。
【００３５】
同調フィルタ４３ａは中心周波数が可変される同調型のフィルタであり、希望周波数近辺の周波数が通過する。この同調フィルタ４３ａの出力はトランジスタで形成された高周波増幅器４４ａを介して段間フィルタ４５ａに入力される。ここで、高周波増幅器４４ａの出力が入力側へ戻らないように、この高周波増幅器４４ａの入力と出力との間に、切り起し片２３ｂ，２３ｆと底面２２と蓋３２とで形成される枠５０ａを設ける。この枠５０ａは、この高周波増幅器４４ａを通過する周波数の波長より小さくしている。このようにして、出力は入力へ戻らないようにしており、最悪の場合であっても異常発振が生ずることを防止している。
【００３６】
段間フィルタ４５ａは、同調フィルタ４３ａより帯域幅の狭い急峻なフィルタであり、希望周波数のみを通過させるようになっている。そして、この出力は混合器４７ａの一方の入力に供給されるとともに他方の入力には局部発振器４６ａの出力が入力されて混合される。このことにより、混合器４７ａの出力からは中間周波数が出力される。
【００３７】
ここで、局部発振器４６ａにおける発振周波数が入力端子４１側へ洩れないように、局部発振器４６ａや混合器４７ａと段間フィルタ４５ａとの間に枠５０ｂと５０ｃを設けている。この枠５０ｂは、側面２１ｃ、切り起し片２３ｃと底面２２と蓋３２とで形成されている。また、枠５０ｃは、切り起し片２３ｃ，２３ｅと底面２２と蓋３２とで形成されている。この枠５０ｂ，５０ｃは、この局部発振器４６ａから出力される周波数の波長より小さくしている。従って、局部発振器４６ａの発振出力が入力端子４１に出力されるには、枠５０ｂ又は枠５０ｃと枠５０ａを通らなければならない。即ち、局部発振器４６ａの出力が入力端子４１に導かれるのを二重に防止していることになる。
【００３８】
混合器４７ａの出力は中間周波増幅器４８で増幅されて出力端子４９に導かれる。
【００３９】
ＵＨＦについても同様であり、その要点を述べると、高周波増幅器４４ｂの出力が入力側へ戻らないように、この高周波増幅器４４ｂの入力と出力との間に、枠５０ｄを設けている。この枠５０ｄは、切り起し片２３ａ，２３ｂと底面２２と蓋３２とで形成されている。この枠５０ｄは、この高周波増幅器４４ｂを通過する周波数の波長より小さくしている。従って、出力は入力へ戻らないようになっており、最悪の場合であっても異常発振が生ずることを防止している。
【００４０】
段間フィルタ４５ｂは、同調フィルタ４３ｂより帯域幅が狭く、且つ、中心周波数が可変可能で、その特性は急峻なフィルタであり、希望周波数のみを通過させるようになっている。そして、この出力は混合器４７ｂの一方の入力に供給されるとともに他方の入力には局部発振器４６ｂの出力が入力されて混合される。このことにより、混合器４７ｂの出力からは中間周波数が出力される。
【００４１】
ここで、局部発振器４６ｂにおける発振周波数が入力端子４１側へ洩れないように、局部発振器４６ｂや混合器４７ｂと段間フィルタ４５ｂとの間に枠５０ｅと枠５０ｆを設けている。この枠５０ｅは、側面２１ａ、切り起し片２３ｄと底面２２と蓋３２とで形成されている。また、枠５０ｆは、切り起し片２３ｄ，２３ｅと底面２２と蓋３２とで形成されている。この枠５０ｅ，５０ｆは、この局部発振器４６ｂから出力される周波数の波長より小さくしている。従って、局部発振器４６ｂの出力が入力端子４１に出力されるには、枠５０ｅ又は枠５０ｆと枠５０ｄを通らなければならない。即ち、局部発振器４６ｂの出力が入力端子４１に導かれるのを二重に防止している。なお、ＵＨＦ信号の伝達については、ＶＨＦと同様である。
【００４２】
次に、図４を用いて、同調フィルタ４３を形成する空芯コイル５１と段間フィルタ４５を形成する空芯コイル５１と５２の好ましい配置について説明する。先ず、これらの空芯コイル５１と５２との間に、切り起し片２３と底面２２と蓋３２とで形成される枠５０を設ける。従って、この枠５０のため空芯コイル５１と５２の結合は少なく干渉は防止される。しかし、より干渉を少なくするために、空芯コイル５１と５２とは中心軸を略直角５３にする。このことにより、空芯コイル５１と空芯コイル５２との結合は非常に小さくなり、お互いに影響を与え合うことはない。
【００４３】
また、図５には空芯コイル５４と５５の中心軸が平行の場合であっても、その影響を少なくするようにその工夫を述べたものである。先ず、これらの空芯コイル５４と５５との間に、切り起し片２３と底面２２と蓋３２とで形成される枠５０を設ける。このことにより、この枠５０のため空芯コイル５４と５５の干渉は少なくなる。しかし、より干渉を少なくするために、空芯コイル５４の中心軸５６から４５度以上の開角５７を設け、この開角５７外に他方の空芯コイル５５を配置する。このことにより、お互いの影響を少なくすることができる。即ち、空芯コイル５４と空芯コイル５５との結合は非常に小さくなり、お互いに影響を与え合うことはない。
【００４４】
図６は、プリント基板を貫通して設けられた切り起し片２３の近傍に電源パターン６０を敷設し、この電源パターン６０と切り起し片２３のランドパターン６１との間にチップコンデンサ６２を装着したものである。このように、チップコンデンサ（静電容量は１０００ｐＦ以上）６２で直接グランド（切り起し片２３）に接続することにより、電源パターン６０から侵入する妨害波を防ぐことができる。これは、この電源パターン６０をチップコンデンサ６２でグランドに落とすことにより、電源パターンのインピーダンスを低くし、この電気回路近傍における不要の干渉や結合を防止するものである。
【００４５】
このように形成されたＶＨＦ・ＵＨＦチューナは、図１、図２に示すように、シールドケース２０内に実装されている。このような実装をすることによって、従来のように仕切り板１１を用いる必要がなくなるので、部品配置の制約が少なくなり小型化が実現できる。また、仕切り板１１がないので、部品の修正や調整が容易にできる。
【００４６】
更に、片面のプリント基板２６を用いることができるので、底面２２を折り曲げて側面２１を形成しても問題はなく、裏蓋を不要とすることができる。従って、フレーム構造が簡単になるとともに、部品管理も容易となる。
【００４７】
更にまた、部品２７のプリント基板２６への装着と、このプリント基板２６のシールドケース２０への装着が同時にリフロー半田で固定することができる。
【００４８】
【発明の効果】
以上のように本発明によれば、基板上に設けられた複数の高周波電子回路と、これらの高周波電子回路間における不要信号の入射又は放射を防止する仕切り部とを備え、前記仕切り部は、導電部材で形成された枠で形成されるとともに、この枠は前記不要信号の波長より小さくした高周波装置において、前記仕切り部は、基板が装着された金属製のシールドケースと、このシールドケースに被せられる金属製の蓋と、前記シールドケースの底面から切り起して形成された切り起し片とを有し、前記切り起し片の先端が前記蓋に当接させるものであり、高周波回路間は導電部材で形成された枠で形成されるとともに、この枠の一辺は前記不要信号の波長より小さくしており、高周波回路間の不要高周波の流入、又は輻射を防止するとともに、枠で形成されているので機械的な部品配置の制約が少なくなる。
【００４９】
また、部品配置の制約が少なくなるので、基板の実装密度が向上し、小型化を図ることもできる。
【図面の簡単な説明】
【図１】本発明の一実施の形態における高周波装置の断面図
【図２】同、シールドケースの展開図
【図３】同、高周波装置の一例としてのＶＨＦ・ＵＨＦチューナのブロック図
【図４】同、フィルタを形成する空芯コイル配置の平面図
【図５】同、他の例による空芯コイル配置の平面図
【図６】同、高周波回路間に設けられた枠近傍の平面図
【図７】従来の高周波装置の一例としてのＶＨＦ・ＵＨＦチューナのブロック図
【図８】同、平面図
【符号の説明】
２０  シールドケース
２１  側面
２２  底面
２３  切り起し片
２６  プリント基板
２７ａ  空芯コイル
２７ｂ  空芯コイル
２７ｃ  チップ部品
２７ｄ  チップ部品
３２  蓋
３３  当接片
５０  枠
【図１】
0003601497.tif 000002
【図２】
0003601497.tif 000003
【図３】
0003601497.tif 000004
【図４】
0003601497.tif 000005
【図５】
0003601497.tif 000006
【図６】
0003601497.tif 000007
【図７】
0003601497.tif 000008
【図８】
0003601497.tif 000009